(57)【要約】【課題】１つの光源で複数の照光部を照光でき、かつ選択した照光部のみを照光させることを可能にする。【解決手段】光源ユニット１と、光源ユニット１の光が入射される光入射口３と前記光を出射する光出射口４を有する第１導光路２と、第１導光路２の光出射口４に光学的に連結可能に配設された光入射口１６ａ〜ｃを有する複数の第２導光路１５ａ〜ｃと、該第２導光路１５ａ〜ｃの光入射口１６ａ〜ｃの１つに第１導光路の光出射口４を切替えて光学的に連結するように構成された切替配光装置を特徴とする。【選択図】  図１
2013224120.tif 000002
【特許請求の範囲】
【請求項１】
光源ユニットと、該光源の光が入射される光入射口と前記光を出射する光出射口を有する第１導光路と、該第１導光路の光出射口に光学的に連結可能に配設された光入射口を有する複数の第２導光路と、該第２導光路の前記光入射口の１つに前記第１導光路の光出射口を切替えて光学的に連結するように構成された切替配光装置。
【請求項２】
光源ユニットと、該光源の光が入射される光入射口と該光入射口の光軸と平行な光軸上に配設された光出射口を有する第１導光路と、該第１導光路の光出射口が挿入される貫通穴を有し、該貫通穴を前記第１導光路の光入射口の光軸の周りに回転可能に設けられた配光切替部材と、前記配光切替部材を回転駆動する駆動機構と、前記配光切替部材を回転可能に支持するベース部材と、前記第１導光路の光出射口に対向可能に光入射口を保持して設けられる複数の第２導光路とを備え、前記ベース部材は、前前記配光切替部材の回転によって移動する前記貫通穴の移動円周上の異なる角度位置に、前記第１導光路の光出射口に対向可能に前記第２導光路の光入射口を保持する保持部が形成されてなる切替配光装置。
【請求項３】
第１又は第２の態様の切替配光装置を備え、複数の第２導光路の光出射口にそれぞれ光学的に連結された複数の照光部又は照明具を備えてなる照明装置。
【発明の詳細な説明】
【技術分野】
【０００１】
本発明は、1つの光源で複数の照光部又は照明具を照光可能にし、かつ照光する照光部又は照明具を選択切替えする切替配光装置及びそれを備えた照明装置に関する。
【背景技術】
【０００２】
従来から、特許文献1に開示されているように、自動車などの車室内の照明効果を高めるために、例えば後部座席、天井、サイドピラー、スライドドア、フロアー、等々に発光ダイオードなどを光源とする意匠性を加えた照光部又は照明具（以下、照光部と総称する。）を設けることが提案されている。しかし、同文献1によれば、照光部ごとに１又は複数の光源を設けているから、スイッチ等を含めて部品点数が多くなり、高コストになるという問題がある。
【０００３】
そこで、特許文献２に、複数の照光部で１つの光源を共有化して、光源の数を減らすことが提案されている。同文献２によれば、１つの光源から出射された光を光学手段で複数に分岐し、分岐した光を導光路などにより、それぞれ照光部に導くようにしている。これによれば、１つの光源から出射された光は分岐されて複数の照光部を照光することから、光源の数を減らすことができる。
【先行技術文献】
【特許文献】
【０００４】
【特許文献１】特開２００９−１０１８３１号公報
【特許文献２】特開２００９−１４３４０９号公報
【発明の概要】
【発明が解決しようとする課題】
【０００５】
しかし、特許文献２の技術では、同一の光源で照光される複数の照光部のうちの一部の照光部ごとに点滅することについて配慮されていないため、不要な照光部が照光される場合があり、使い勝手を向上させる余地あるいは省エネルギを図る余地がある。
【０００６】
本発明が解決しようとする課題は、１つの光源で複数の照光部を照光でき、かつ選択した照光部のみを照光させることを可能にすることにある。
【課題を解決するための手段】
【０００７】
上記の課題を解決するため、本発明は、第１の態様として、光源と、該光源の光が入射される光入射口と前記光を出射する光出射口を有する第１導光路と、該第１導光路の光出射口に光学的に連結可能に配設された光入射口を有する複数の第２導光路と、該第２導光路の前記光入射口の１つに前記第１導光路の光出射口を切替えて光学的に連結するように構成された切替配光装置を提案する。
【０００８】
これによれば、第１導光路の光出射口を選択した第２導光路に切替えて光学的に連結することにより、その第２導光路にのみ光源の光が入射されるから、その第２導光路の光出射口に連結された照光部あるいは照明具を選択して照光させることができる。
【０００９】
また、上記の課題を解決するため、本発明は、第２の態様として、光源と、該光源の光が入射される光入射口と該光入射口の光軸と平行な光軸上に配設された光出射口を有する第１導光路と、該第１導光路の光出射口が挿入される貫通穴を有し、該貫通穴を前記第１導光路の光入射口の光軸の周りに回転可能に設けられた配光切替部材と、前記配光切替部材を回転駆動する駆動機構と、前記配光切替部材を回転可能に支持するベース部材と、前記第１導光路の光出射口に対向可能に入射口を保持して設けられる複数の第２導光路とを備え、前記ベース部材は、前記配光切替部材の回転によって移動する前記貫通穴の移動円周上の異なる角度位置に、前記第１導光路の光出射口に対向可能に前記第２導光路の光入射口を保持する保持部が形成されてなる切替配光装置を提案する。
【００１０】
これによれば、配光切替部材を駆動機構により回転させて、選択した第２導光路の入射口が保持された保持部の位置に貫通穴を移動すると、第１導光路の光出射口を選択した第２導光路の入射口に光学的に連結することができる。これにより、光源からの光は選択された第２導光路にのみ入射されるから、その第２導光路の光出射口に連結された照光部あるいは照明具を選択して照光させることができる。
【００１１】
本発明の照明装置は、第１又は第２の態様の切替配光装置を備え、複数の第２導光路の光出射口にそれぞれ光学的に連結された複数の照光部あるいは照明具を備えて構成することができる。
【発明の効果】
【００１２】
本発明によれば、１つの光源で複数の照光部あるいは照明具を照光でき、かつ選択した照光部あるいは照明具のみを照光させることを可能にすることができる。
【図面の簡単な説明】
【００１３】
【図１】本発明の切替配光装置の実施例の分解斜視図と組立斜視図である。
【図２】実施例の平面図である。
【図３】図２の線III−IIIにおける断面図である。
【図４】実施例の動作を説明する図である。
【図５】本発明の照明具の意匠部の一例を示す図である。
【図６】本発明の照光部の一例を示す図である。
【図７】本発明の照光部の他の例を示す図である。
【発明を実施するための形態】
【００１４】
以下、本発明を実施例に基づいて説明する。本実施例は、自動車の車室内に設けられる照光部に適用される切替配光装置として説明する。しかし、本発明は、これに限られるものではなく、１つの光源で複数の照光部を切り替えて照光させる切替配光装置に適用することができるのは言うまでもない。
【００１５】
図１、図２に示すように、本実施例の切替配光装置は、発光ダイオード（ＬＥＤ）などの光源を用いて形成された光源ユニット１から出射される光を、複数の照光部に切り替えて配光するものである。第１導光路２は、例えば、可撓性を有する光ファイバーあるいは中空の導光管などを用いて、クランク状に形成されている。すなわち、第１導光路２は、光源ユニット１から出射される光が入射される光入射口３と、光入射口３の光軸と平行な光軸上に配設された光出射口４を有して形成されている。光源ユニット１の光出射口は、図示していない回転継手などを介して、第１導光路２の光入射口３に連結されている。また、第１導光路２の光入射口３は、集光効率を高める形状あるいはレンズなどの光学手段を用いて形成することができる。
【００１６】
配光切替部材である配光回転円板５は、円板の周辺部に形成された貫通穴６と、円板の下面に形成された軸部７を有して形成されている。配光回転円板５の軸部７の軸は、光源ユニット１の光出射口の光軸と、第１導光路２の光入射口３の光軸と同軸に配置されている。そして、配光回転円板５の貫通穴６に第１導光路２の光出射口４が挿入されている。したがって、貫通穴６は、第１導光路２の光入射口３の光軸の周りに回転可能に設けられ、これに応じて第１導光路２の光出射口４も光入射口３の光軸の周りに回転可能に設けられている。配光回転円板５は、ベース部材１０に回転可能に支持されている。また、配光回転円板５は、図２に示すように、歯車などの動力伝達機構１８を介してモータを備えてなる駆動機構８により回転駆動されるようになっている。なお、本発明の配光切替部材は、回転円板に限られるものではなく、軸部７周りに回転可能なアーム部材の先端に貫通穴６を形成した配光回転アームを適用できる。
【００１７】
ベース部材１０は、本実施例では矩形平板により形成され、中心部に配光回転円板５の軸部７が挿入される軸受穴１１が形成されている。また、ベース部材１０には、配光回転円板５の回転によって移動する貫通穴６の移動円周上の異なる角度位置に、本実施例では９０°間隔で３箇所に、第２導光路１５ａ〜ｃの光入射口１６ａ〜ｃを保持する保持部１２ａ〜ｃが設けられている。保持部１２ａ〜ｃは、ベース部材１０を貫通して形成され、配光回転円板５の貫通穴６に対向させて設けられている。また、保持部１２ａ〜ｃからベース部材１０の辺部までスリット１３ａ〜ｃが形成されている。
【００１８】
第２導光路１５ａ〜ｃは、第１導光路２と同様に、例えば、可撓性を有する光ファイバーあるいは中空の導光管などを用いて形成され、第２導光路１５ａ〜ｃの光入射口１６ａ〜ｃは、集光効率を高める形状あるいはレンズなどの光学手段を用いて形成することができる。これに合わせて、保持部１２ａ〜ｃも光入射口１６ａ〜ｃを収容可能な形状に形成されている。一方、第２導光路１５ａ〜ｃの光出射口１７ａ〜ｃは、本実施例では拡散レンズを装着し、格別な照明具を設けることなく、例えば、照明具の照光部又は照明エリアなどの照光部に光を拡散して照光することができるように形成されている。しかし、これに限られるものではなく、図示されていない照光部に形成される光入射口に合わせて、適宜継手を設けることができる。
【００１９】
このように構成される実施例の切替配光装置の動作について説明する。まず、図２の線III−IIIにおける断面である図３の断面図に示すように、配光回転円板５を回転して図２の位置において停止させると、光源ユニット１から出射された光２０は、第１導光路２に入射して配光回転円板５の貫通穴６に至り、ベース部材１０の保持部１２の保持された第２導光路１５ａの光入射口１６ａに入射されることになる。これにより、光２０は第２導光路１５ａによって光出射口１７ａに導かれ、光出射口１７ａから照明エリア２１に拡散して照射される。一方、図２の位置では、第２導光路１５ｂ、１５ｃの光入射口１６ｂ、１６ｃが光学的に連結されないから、光源ユニット１の光は光出射口１７ｂ、１７ｃに導かれないので、光出射口１７ｂ、１７ｃに対応する照明エリアなどの照光部には照光されない。
【００２０】
図４〜図６に、照光部の具体的な例をそれぞれ示す。図４は、意匠性を高めたドームランプやバニティランプなどの照明具２５に本発明を適用した例である。照明具２５の上部中央に第２導光路１５ａの光出射口１７ａを設置して、光出射口１７ａから照明具２５の全体に拡散光を照射し照光するようになっている。また、図５は、同図（ａ）に示すように表示発光用のノブ２６まで第２導光路１５ｂで導光し、光出射口１７ｂからの拡散光によりノブ２６の内側を照光し、これにより同部（ｂ）に示すように、ノブ２６の透明部に形成された意匠部２７を照光して、エアコンなどのスイッチの表示発光を行うようにした例である。さらに、図６は、車室内の後部座席２８の脇にあるスライドドア２９の周辺を照明エリアとして照光する例であり、車室の天井３０から第２導光路１５ｃの光出射口１７ｃを車室内に臨ませて設けている。
【００２１】
以上説明したように、本実施例によれば、例えば、照光したい照光部に連結された第２導光路１５ａの光入射口１６ａが保持された保持部１２の位置に貫通穴６を移動すると、第１導光路２の光出射口４を第２導光路１５ａの光入射口１６ａに光学的に連結することができる。これにより、光源ユニット１からの光２０は選択された第２導光路１５ａにのみ入射されるから、第２導光路１５ａの光出射口１７ａに連結された照光部あるいは照明具のみを選択して照光させることができる。したがって、本実施例によれば、同一の光源ユニット１で照光される照光部に連結された複数の第２導光路の１つを選択できるから、照光部ごとに点滅できる。そのため、不要な照光部を照光することなく、必要な照光部のみを照光させることができるから、使い勝手が向上するとともに、省エネルギを図ることができる。
【００２２】
本発明は、上述した実施例に限られるものではなく、要は、光源と、該光源の光が入射される光入射口と前記光を出射する光出射口を有する第１導光路と、該第１導光路の光出射口に光学的に連結可能に配設された光入射口を有する複数の第２導光路と、該第２導光路の前記光入射口の１つに前記第１導光路の光出射口を切替えて光学的に連結するように構成することを特徴とする。これによれば、第１導光路の光出射口を選択した第２導光路の入射口に光学的に連結することができ、光源からの光は選択された第２導光路にのみ入射されるから、その第２導光路の光出射口に連結された照光部あるいは照明具を選択して照光させることができる。
【００２３】
また、本発明の切替配光装置を用いて、複数の第２導光路の光出射口にそれぞれ光学的に連結された複数の照光部、照明具あるいは照明エリアを設けることにより、照明装置を形成することができる。
【符号の説明】
【００２４】
１  光源ユニット
２  第１導光路
３  光入射口
４  光出射口
５  配光回転円板
６  貫通穴
７  軸部
８  駆動機構
１０  ベース部材
１１  軸受穴
１２ａ〜ｃ  保持部
１３ａ〜ｃ  スリット
１５ａ〜ｃ  第２導光路
１６ａ〜ｃ  光入射口
１７ａ〜ｃ  光出射口
【図１】
2013224120.tif 000003
【図２】
2013224120.tif 000004
【図３】
2013224120.tif 000005
【図４】
2013224120.tif 000006
【図５】
2013224120.tif 000007
【図６】
2013224120.tif 000008
【手続補正書】
【提出日】平成24年5月23日(2012.5.23)
【手続補正１】
【補正対象書類名】明細書
【補正対象項目名】００１３
【補正方法】変更
【補正の内容】
【００１３】
【図１】本発明の切替配光装置の実施例の分解斜視図と組立斜視図である。
【図２】実施例の平面図である。
【図３】図２の線III−IIIにおける断面図である。
【図４】実施例の動作を説明する図である。
【図５】本発明の照明具の意匠部の一例を示す図である。
【図６】本発明の照光部の一例を示す図である。